(57)【特許請求の範囲】
【請求項１】
遊技球が打ち込まれる遊技領域を前面に形成した遊技盤の後方に、遊技に係わる演出情報を表示可能な表示装置を配置すると共に、前記遊技盤の後面と前記表示装置の前面との間に、前記遊技盤の前面から前記表示装置に表示される遊技に係わる演出情報を視認可能とする表示領域に出没可能な可動役物ユニットを配置した弾球遊技機において、
前記可動役物ユニットは、前記遊技盤の後方に設けられるベース部材と、前記ベース部材に取り付けられるモータと、前記ベース部材に支持され、前記表示領域内に突出する突出位置と前記表示領域外に没入する没入位置との間を直線的に往復動可能な可動体と、前記可動体に取り付けられ、前記可動体をその後面側から照明可能な光源と、一端部が前記モータの出力軸、また他端部が前記可動体にそれぞれ連結され、前記モータの駆動に伴って、前記可動体を没入位置とする第１位置と突出位置とする第２位置間を回動可能なリンクレバーと、前記光源に電力を供給可能な電線とを含み、
前記ベース部材における前記リンクレバーの移動領域及び前記電線に対して前後方向へ重合しない領域に、前記可動体に設けた摺動軸部が前記可動体の移動方向に沿って摺動可能に係合する長孔を設け、
前記可動体は、前記リンクレバーの第１位置と第２位置間の移動領域に対して前後方向へ重合しない領域にあって、前記電線の一端部を前記可動体に固定するための可動体側の電線固定部を有し、
前記ベース部材は、前記移動領域に対して前後方向へ重合しない領域で、かつ前記可動体が没入位置及び突出位置にあっても前記可動体の移動方向に対して前記可動体側の電線固定部に常時対向する位置にあって、前記電線の他端部を前記ベース部材に固定するためのベース部材側の電線固定部を有し、
前記電線を、前記移動領域に対して前後方向へ重合しない領域で、かつ前記可動体側の電線固定部と前記ベース部材側の電線固定部間に配線したことによって、前記可動体の移動方向に沿って前記電線が直線的に伸縮可動することを特徴とする弾球遊技機。
【発明の詳細な説明】
【技術分野】
【０００１】
本発明は、遊技盤の後面側と遊技に係わる演出情報を表示可能な表示装置との間に可動役物ユニットを配置した弾球遊技機に関する。
【背景技術】
【０００２】
弾球遊技機（パチンコ機）において、前面に遊技領域を形成した遊技盤に、モータと、遊技領域において所定の動作を行なう可動体と、モータの動力を可動体に伝達可能な伝達装置とを備える可動役物ユニットを設け、可動体を遊技状況に応じて所定の演出情報の表示を行なう表示装置の表示部に沿って移動可能とすることによって、遊技の興趣を向上させたものがある（例えば、特許文献１参照）。
【０００３】
【特許文献１】特開２００６−１６７１７１号公報
【発明の開示】
【発明が解決しようとする課題】
【０００４】
上述のような弾球遊技機においては、表示装置の表示部が遊技盤に設けた表示開口（表示装置の表示部に表示される演出情報を視認可能とする開口）の大きさにほぼ相当する大きさの表示装置を配置した構成であるため、遊技盤における表示開口の裏面側周辺には、可動役物ユニットを配置するためのスペースを容易に確保可能である。したがって、可動役物ユニットを、可動体をその裏面側から照明するための光源を有する構成とすることも容易に行うことができる。
【０００５】
しかし、遊技盤の後方に表示開口よりも大きな表示部を有する大型の表示装置を配置した構成にあっては、遊技盤における表示開口の裏面側周辺に表示装置の表示部が互いに対向するため、可動役物ユニットを、遊技盤の後面側と表示装置の表示部との間に配置する必要がある。この構成にあっては、遊技盤の後面側と表示装置の前面との間に大きな取付けスペースを確保することは困難であるため、可動役物ユニットの薄型化が望まれる。
【０００６】
本発明は、上述のような課題に鑑み、可動役物ユニットの薄型化を可能にして、可動役物ユニットを遊技盤の後面側と表示装置の表示画面との間に配置することができるようにした弾球遊技機を提供することを目的とする。
【課題を解決するための手段】
【０００７】
本発明によると、上記課題は、次のようにして解決される。
遊技球が打ち込まれる遊技領域を前面に形成した遊技盤の後方に、遊技に係わる演出情報を表示可能な表示装置を配置すると共に、前記遊技盤の後面と前記表示装置の前面との間に、前記遊技盤の前面から前記表示装置に表示される遊技に係わる演出情報を視認可能とする表示領域に出没可能な可動役物ユニットを配置した弾球遊技機において、前記可動役物ユニットは、前記遊技盤の後方に設けられるベース部材と、前記ベース部材に取り付けられるモータと、前記ベース部材に支持され、前記表示領域内に突出する突出位置と前記表示領域外に没入する没入位置との間を直線的に往復動可能な可動体と、前記可動体に取り付けられ、前記可動体をその後面側から照明可能な光源と、一端部が前記モータの出力軸、また他端部が前記可動体にそれぞれ連結され、前記モータの駆動に伴って、前記可動体を没入位置とする第１位置と突出位置とする第２位置間を回動可能なリンクレバーと、前記光源に電力を供給可能な電線とを含み、前記ベース部材における前記リンクレバーの移動領域及び前記電線に対して前後方向へ重合しない領域に、前記可動体に設けた摺動軸部が前記可動体の移動方向に沿って摺動可能に係合する長孔を設け、前記可動体は、前記リンクレバーの第１位置と第２位置間の移動領域に対して前後方向へ重合しない領域にあって、前記電線の一端部を前記可動体に固定するための可動体側の電線固定部を有し、前記ベース部材は、前記移動領域に対して前後方向へ重合しない領域で、かつ前記可動体が没入位置及び突出位置にあっても前記可動体の移動方向に対して前記可動体側の電線固定部に常時対向する位置にあって、前記電線の他端部を前記ベース部材に固定するためのベース部材側の電線固定部を有し、前記電線を、前記移動領域に対して前後方向へ重合しない領域で、かつ前記可動体側の電線固定部と前記ベース部材側の電線固定部間に配線したことによって、前記可動体の移動方向に沿って前記電線が直線的に伸縮可動する。
【発明の効果】
【０００９】
本発明によれば、次のような効果が奏せられる。
請求項１に係わる発明によると、可動体を照明する光源に電気的に接続される電線が、モータの動力を可動体に伝達するためのリンクレバーに対して前後方向へ重合しないため、可動役物ユニットにおける前後方向の薄型化を図ることができる。また、電線を互いに常時対向する可動体の電線固定部とベース部材の電線固定部間に配線したことにより、可動体の移動に伴って、電線が可動体の移動方向に沿ってほぼ直線的に伸縮可動するため、電線の動きを最小限に抑えて、電線の切断を防止することができる。
【００１０】
さらに、可動体の移動を確実にすることができると共に、可動役物ユニットの薄型化を図ることができる。
【発明を実施するための最良の形態】
【００１１】
以下、本発明の一実施形態を、図面に基づいて説明する。図１は、本発明の一実施形態を適用した前扉を開けた状態の弾球遊技機の正面図、図２は、弾球遊技機の分解斜視図、図３は、遊技盤ユニットの分解斜視図、図４は、遊技盤ユニットの正面図、図５は、遊技盤ユニットの後方から見た斜視図、図６は、遊技盤ユニットの裏面図、図７は、要部の拡大斜視図、図８は、図４におけるVIII−VIII線拡大横断面図、図９は、斜め前方向から見た要部の分解斜視図、図１０は、センサー取付部の拡大斜視図、図１１は、斜め後方から見たセンサー取付部の拡大斜視図、図１２は、図６におけるXII−XII線拡大横断面図、図１３は、図１２におけるXIII矢視図、図１４は、図１３におけるXIV−XIV線縦断面図、図１５は、可動役物ユニットの没入状態の裏面図、図１６は、可動役物ユニットの突出状態の裏面図である。なお、以下の説明においては、図１における図面手前を「前方または表面」とし、図面奥側を「後方または裏面」とし、左方を「左方」とし、右方を「右方」とする。
【００１２】
図１、２に示すように、弾球遊技機１は、遊技施設に据え付けられる外枠２と、外枠２内に嵌め込まれる遊技盤ユニット３と、遊技盤ユニット３の後方に配置される表示装置５と、中央部に円形のガラス板４１が嵌め込まれ、外枠２の左部に上下方向のヒンジ軸を有するヒンジにより開閉可能に支持された前扉４とを備え、前面右下部に設けられたハンドル６を時計方向へ回転操作することにより、前扉４の下方に設けられた球貯留皿７に貯留されている遊技球が図示略の発射装置から後述の遊技盤１０の遊技領域１０１に打ち込まれることにより所定の遊技を行うことができる。
【００１３】
前扉４は、閉じるとガラス板４１を透して遊技盤１０の遊技領域１０１を視認することができるように遊技盤１０の前面を覆う。
【００１４】
主に図２に示すように、表示装置５は、液晶ディスプレイ等により構成され、外枠２の内側に取り付けられた内枠２Ａに固定されると共に、その前面には、遊技に係わる数字や図柄等の演出情報が表示される表示画面５１が形成されている。
【００１５】
遊技盤ユニット３は、前面に遊技領域１０１を形成する遊技盤１０と、遊技盤１０の裏面に固定されるセット部材２２と、遊技盤１０の裏面とセット部材２２の前面との間に配置される装飾部材２０とを含む。
【００１６】
遊技盤１０は、表示装置５の前方に配置されると共に、表示画面５１に表示される演出情報を透視できるようにアクリル樹脂等の透明な合成樹脂板により正面視ほぼ方形に形成される。遊技盤１０の前面には、ガイドレール８、９によって包囲される円形（楕円形を含む）の遊技領域１０１が形成される。発射装置から発射される遊技球は、ガイドレール８、９により誘導されて遊技領域１０１に打ち込まれる。
【００１７】
遊技盤１０における遊技領域１０１には、主な部品として、遊技領域１０１に打ち込まれた遊技球の流下方向を変化させる多数の遊技釘１１と、遊技領域１０１に打ち込まれた遊技球を遊技領域１０１の左方または右方へ誘導し得る透明な球受誘導部材１２と、透明合成樹脂製のステージ１３と、遊技領域１０１に打ち込まれた遊技球が入賞可能な複数の通常入賞口１４Ａ及び図柄始動口１４Ｂと、遊技者にとって不利な第１状態（遊技球が入賞不能な閉鎖状態）と遊技者にとって有利な第２状態（遊技球が入賞可能な開放状態）とに変化可能な大入賞口１５とが配置されている。また、遊技領域１０１の最下部には、遊技領域１０１に打ち込まれた遊技球を遊技盤１０の裏面側に排出するアウト口１６が設けられている。なお、遊技盤１０は、完全な透明である必要はなく、表示画面５１に表示される演出情報を透視でき得る程度の半透明であっても良い。
【００１８】
遊技盤１０の遊技領域１０１に打ち込まれた遊技球が図柄始動口１４Ｂに入賞すると、これを契機に所定の確率に基づいて、演出情報が可変表示した後、所定時間経過後、停止して確定表示される。そして、確定表示された数字、図柄等の組み合わせが、予め定められた表示態様、例えば、同一の数字や図柄が揃った場合には、大当り状態を生起させ、大入賞口１５を第１の状態から第２の状態に変化させ、遊技者に所定の遊技価値を付与する。
【００１９】
ステージ１３は、遊技盤１０のほぼ中央部に穿設された横長の開口１０３を介して遊技盤１０の裏面側に突出するように取り付けられると共に、その上面は、遊技球を受け止めて左右、前後に転動させるように形成されている。ステージ１３の前面には、ステージ１３上を転動した一部の遊技球を図柄始動口１４Ｂの真上に排出可能な排出口１３１が設けられている。
【００２０】
セット部材２２は、不透光性の合成樹脂製で枠状に形成されると共に、遊技盤１０の裏面と表示装置５の表示画面５１との間に配置される。主に図２、３に示すように、セット部材２２の上下及び左右には、遊技盤１０における外周近傍の裏面に密接する上、下枠部２２２、２２３及び左、右枠部２２４、２２５が設けられ、同じく中央部には、表示画面５１の前面に重合し、かつ表示画面５１よりも小さい開口２２１が設けられ、同じく開口２２１の周辺には、各枠部２２２〜２２５よりも後方に位置し、かつ表示画面５１と平行な遮光面２２６が設けられている。これにより、セット部材２２を遊技盤１０の裏面と表示装置５の表示画面５１との間に配置した状態においては、表示画面５１に表示される演出情報は、透明な遊技領域１０１及び開口２２１を通して視認することができる。また、表示装置５の表示画面５１が発する光は、遮光面２２６の前方を照らすことがないように、遮光面２２６によって遮光される。
【００２１】
主に図５、６に示すように、セット部材２２の下部には、一般入賞口１４Ａ、図柄始動口１４Ｂ、大入賞口１５等の入賞口に入賞した遊技球を遊技機１の後方へ排出するための合成樹脂製の遊技球通路部材２５が設けられている。また、主に図４、９に示すように、遊技球通路部材２５の前面には、表面に模様が施された閉塞板をなす不透光性の左右の装飾板２８、２８が固定される。これにより、遊技領域１０１の下部は、左右の装飾板２８によって装飾され、遊技球通路部材２５は遊技盤１０を透してその前面から見えることはない。
【００２２】
主に図９に示すように、遊技球通路部材２５には、各入賞口に入賞した遊技球を案内する通路２５３、及び遊技球の通過を検知する遊技球検知センサー２６、及び不正な磁力を検知可能な磁力検知センサー２７（図５、６参照）が取り付けられる複数のセンサー取付部２５０が設けられる。
【００２３】
遊技球検知センサー２６は、通路２５３の途中に取り付けられる。磁力検知センサー２７は、通路２５３以外の箇所に取り付けられる。また、通路２５３は、前面が開放しており、遊技球通路部材２５の前面に装飾板２８を固定することによって、遊技球を誘導し得るように前面が閉塞される。
【００２４】
装飾板２８は、各センサー２６、２７を固定するための固定機能及び遊技盤１０を装飾するための装飾機能を有すると共に、図９に示すように、その前面には、通常入賞口１４Ａに入賞した遊技球を遊技球通路部材２５の通路２５３に誘導するための遊技球通過口２８１が設けられている。
【００２５】
図９〜図１４に示すように、遊技球検知センサー２６を取り付けるためのセンサー取付部２５０は、通路２５３内の両側壁に設けられ、遊技球検知センサー２６の両側部をそれぞれ前方から挿入可能な前後方向を向く左右の嵌合溝部２５１と、嵌合溝部２５１の後端から後方へ延出し、かつ後端に嵌合溝部２５１に挿入された遊技球検知センサー２６の後部に当接可能な爪部２５２ａを有する左右１対の係合爪２５２とにより構成される。係合爪２５２は、工具等を用いて必要に応じて切断できるように形成される。なお、磁力検知センサー２７を取り付けるためのセンサー取付部２５０は、通路２５３以外の箇所に設けられる以外、遊技球検知センサー２６を取り付けるためのセンサー取付部２５０とほぼ同一構成であるため、詳細な説明及び図示は省略する。
【００２６】
装飾板２８は、各センサー２６、２７を遊技球通路部材２５の前面から嵌合溝部２５１内に挿入した後、遊技球通路部材２５の前面に固定することによって嵌合溝部２５１を含む通路２５３を閉塞する。これにより、各センサー２６、２７は、各嵌合溝部２５１内に挿入された状態で、装飾板２８の裏面と左右１対の係合爪２５２の爪部２５２ａとの間に挟持されて固定される。
【００２７】
このように、各センサー２６、２７を各取付部２５０に固定することによって、各センサー２６、２７の後端部に、左右の係合爪２５２の爪部２５２ａが両側から係合して、各センサー２６、２７の後方への移動を確実に阻止することができる。この結果、遊技球通路部材２５の遊技盤１０への組み付け時や組み付け後、各センサー２６、２７に電気的に接続されたハーネス（図示略）を引っ張る行為や衝撃等で、各センサー２６、２７が取付部２５０から外れるおそれはなくなる。また、左右いずれか一方または両方の係合爪２５２を切断することによって、装飾板２８を取り外すことなく、必要に応じて、各センサー２６、２７を遊技球通路部材２５から取り外して、新しいセンサーと交換することができる。
【００２８】
装飾部材２０は、不透光性の合成樹脂製によって枠状に形成されると共に、セット部材２２における開口２２１の周辺、すなわち遮光面２２６の前面と遊技盤１０の裏面との間に配置される。セット部材２２における遮光面２２６の開口２２１寄りの側部は、装飾部材２０に設けた遮光壁部をなす側壁部２０２により囲まれる。この側壁部２０２は、不透光性の材質で形成されるため、表示装置５の表示画面５１からの光が装飾部材２０とセット部材２２における遮光面２２６との間に形成される空間２０３に進入しないように遮光する。
【００２９】
装飾部材２０の表面には、小径の光通過開口部２０１が複数穿設されると共に、星等を象った透光性装飾部材２１が配置される。装飾部材２０及び透光性装飾部材２１は、透明な遊技盤１０を透して視認することができ、遊技領域１０１を裏面側から装飾する。
【００３０】
装飾部材２０の側壁部２０２とセット部材２２の遮光面２２６との間に形成される空間２０３には、装飾部材２０を裏面側から照明する発光ダイオード等により構成される複数の光源２３１を前面に実装した複数の光源基板２３が配設される。
【００３１】
光源２３１は、装飾部材２０の光通過開口部２０１に対向する位置に配置され、その光は、光通過開口部２０１を通って透光性装飾部材２１の裏面側を照明して拡散され、透光性装飾部材２１を綺麗に電飾することができる。この場合、装飾部材２０の裏面と表示装置５の表示画面５１との間に、不透光性の遮光面２２６が介在するため、表示画面５１が発する光は、遮光面２２６により遮光されることから、光通過開口部２０１から装飾部材２１の表面側に漏れることはない。したがって、光源２３１がオフのときは、透光性装飾部材２１に光が当たらず、また、同じくオンのときは、光源２３１の光により明るく照らすことができるため、減り張りが利いた電飾を行うことができる。また、表示画面５１が発する光と光源２３１が発する光とが混じり合うことが無いため、予め設定した光源２３１の光色で透光性装飾部材２１を照明することができる。
【００３２】
図５、６に示すように、装飾部材２０の右側下部裏面には、遊技盤１０の前面から表示装置５の表示画面５１に表示される演出情報を視認可能とする表示領域１０２（図４参照）（セット部材２２の開口２２１に相当する領域）に出没可能な可動役物ユニット２４が配置される。図１５、１６に示すように、可動役物ユニット２４は、モータ２４１と、モータ２４１の駆動により表示領域１０２に出没可能な可動体２４２と、モータ２４１の動力を可動体２４２に伝達可能なリンクレバー２４３と、可動体２４２を裏面側から照明する複数の発光ダイオード等から構成される光源２４４ａを実装した光源基板２４４と、装飾部材２０の右側下部裏面に固定される合成樹脂製のベース部材２４５とを含む。
【００３３】
ベース部材２４５は、上部に上端が内方寄りに傾斜した上下方向を向く長孔２４５ａ、及び光源基板２４４へ電源を供給する電線をなすフレキシブルフラットハーネス２９をベース部材２４５に固定するための電線固定部２４５ｂを一体的に形成している。
【００３４】
モータ２４１は、減速機構を内蔵すると共に、ベース部材２４５の下部に、その出力軸２４１ａが前後方向へ向くように取り付けられる。
【００３５】
可動体２４２は、上端部に設けた摺動軸部２４２ａが長孔２４５ａ内に摺動かつ揺動自在に係合し、また、下端部がセット部材２２の裏面側に固定された支持板３０により摺動自在に支持されることによって、表示画面に５１に表示される演出情報の表示状況に応じて、モータ２４１の駆動により、表示領域１０２内に突出する突出位置（図４、６、１６参照）と表示領域１０２外に没入する没入位置（図５、１５）とに往復動可能である。可動体２４２の裏面側には、ベース部材２４５の電線固定部２４５ｂに対して常時対向する位置、すなわち可動体２４２が没入位置及び突出位置にあっても電線固定部２４５ｂに対向する位置にあって、フレキシブルフラットハーネス２９を可動体２４２に対して固定するための電線固定部２４２ｃが設けられている。
【００３６】
リンクレバー２４３は、基部がモータ２４１の出力軸２４１ａに固着され、先端部が可動体２４２の下向きアーム部２４２ｂの下端部に回動可能に連結されることによって、モータ２４１の駆動に伴って、可動体２４２を没入位置とする第１位置（図１５参照）と突出位置とする第２位置（図１６参照）間を回動可能である。
【００３７】
ベース部材２４５の長孔２４５ａ、電線固定部２４５ｂ及び可動体２４２の電線固定部２４２ｃは、リンクレバー２４３の第１位置と第２位置間の移動領域Ｔ（図１５参照）に対して前後方向へ重合しない領域に設けられる。これにより、フレキシブルフラットハーネス２９を、リンクレバー２４３の移動領域Ｔに対して前後方向へ重合しない領域に配線することができる。この結果、フレキシブルフラットハーネス２９とリンクレバー２４３とが互いに前後方向へ重合しないため、可動役物ユニット２４における前後方向の薄型化を図ることができる。また、フレキシブルフラットハーネス２９を互いに常時対向する可動体２４２の電線固定部２４２ｃとベース部材２４５の電線固定部２４５ｂ間に配線したことにより、可動体２４２の移動に伴って、フレキシブルフラットハーネス２９が可動体２４２の移動方向に沿ってほぼ直線的に伸縮可動するため、フレキシブルフラットハーネス２９の動きを最小限に抑えて、フレキシブルフラットハーネス２９の切断を防止することができる。
【００３８】
以上、本発明の一実施形態について説明したが、本発明の要旨を逸脱しない範囲内で、本実施形態に対して、次のような変形や変更を施すことが可能である。
（ｉ）前記実施形態においては、装飾部材２０を不透光性として、装飾部材２０の裏面側に配置した光源２３１の光を装飾部材２０の光通過開口部２０１を通して、装飾部材２０の表面側を照明するようにしたが、これに代えて、装飾部材２０を透光性の材質で形成し、この装飾部材２０の裏面側に配置した光源２３１により装飾部材２０の裏面側から照明するようにする。この場合は、光通過開口部２０１は、必ずしも必要としない。
（ii）遊技盤１０を不透明な材質で形成すると共に、遊技盤１０に表示画面５１に表示される演出情報を視認可能とする開口（表示領域１０２）を形成する。そして、可動役物ユニット２４を、遊技盤１０の後面と表示画面５１との間に配置する。
【図面の簡単な説明】
【００３９】
【図１】本発明の一実施形態を適用した前扉を開けた状態の弾球遊技機の正面図である。
【図２】弾球遊技機の分解斜視図である。
【図３】遊技盤ユニットの分解斜視図である。
【図４】遊技盤ユニットの正面図である。
【図５】遊技盤ユニットの後方から見た斜視図である。
【図６】遊技盤ユニットの裏面図である。
【図７】要部の拡大斜視図である。
【図８】図４におけるVIII−VIII線拡大横断面図である。
【図９】斜め前方向から見た要部の分解斜視図である。
【図１０】センサー取付部の拡大斜視図である。
【図１１】斜め後方から見たセンサー取付部の拡大斜視図である。
【図１２】図６におけるXII−XII線拡大横断面図である。
【図１３】図１２におけるXIII矢視図である。
【図１４】図１３におけるXIV−XIV線縦断面図である。
【図１５】可動役物ユニットの没入状態の裏面図である。
【図１６】可動役物ユニットの突出状態の裏面図である。
【符号の説明】
【００４０】
１  弾球遊技機
２  外枠
２Ａ  内枠
３  遊技盤ユニット
４  前扉
５  表示装置
６  ハンドル
７  球貯留皿
８、９  ガイドレール
１０  遊技盤
１１  遊技釘
１２  球受誘導部材
１３  ステージ
１４Ａ  通常入賞口  
１４Ｂ  図柄始動口（入賞口）
１５  大入賞口（入賞口）
１６  アウト口
２０  装飾部材
２１  透光性装飾部材
２２  セット部材
２３  光源基板
２４  可動役物ユニット
２５  遊技球通路部材
２６  遊技球検知センサー
２７  磁力検知センサー
２８  装飾板（閉塞板）
２９  フレキシブルフラットハーネス（電線）
３０  支持板
４１  ガラス板
５１  表示画面
１０１  遊技領域
１０２  表示領域
１０３  開口部
１３１  排出口
２０１  光通過開口部
２０２  側壁部（遮光壁部）
２０３  空間
２２１  開口
２２２〜２２５  枠部
２２６  遮光面
２３１  光源
２４１  モータ
２４１ａ  出力軸
２４２  可動体
２４２ａ  摺動軸部
２４２ｂ  下向きアーム部
２４２ｃ  電線固定部
２４３  リンクレバー
２４４  光源基板
２４４ａ  光源
２４５  ベース部材
２４５ａ  長孔
２４５ｂ  電線固定部
２５０  センサー取付部
２５１  嵌合溝部
２５２  係合爪
２５２ａ  爪部
２５３  通路
２８１  遊技球通過口
【図１】
0005626945.tif 000002
【図２】
0005626945.tif 000003
【図３】
0005626945.tif 000004
【図４】
0005626945.tif 000005
【図５】
0005626945.tif 000006
【図６】
0005626945.tif 000007
【図７】
0005626945.tif 000008
【図８】
0005626945.tif 000009
【図９】
0005626945.tif 000010
【図１０】
0005626945.tif 000011
【図１１】
0005626945.tif 000012
【図１２】
0005626945.tif 000013
【図１３】
0005626945.tif 000014
【図１４】
0005626945.tif 000015
【図１５】
0005626945.tif 000016
【図１６】
0005626945.tif 000017